(57)【要約】【課題】上側ハウジングと下側ハウジングとを結ぶ方向におけるハウジング内空間の一部であって充放電端子を露出させる開口部に対向する部分に基板等を配置することができ、ハウジング内空間を有効活用できる充電器の提供。【解決手段】  保持部材３０の板状部３１の上面３１Ａの周縁部は、端子露出用貫通孔、鋳抜き貫通孔、及び、上側ハウジング１０の内周面であって端子露出用貫通孔及び鋳抜き貫通孔を画成している部分に対向している。板状部３１の上面３１Ａは、端子露出用貫通孔、鋳抜き貫通孔からハウジング内空間１ａへと流入した雨水を流す流路を画成する。流路の下端は溝３０ａをなして上側ハウジング１０に形成された階段状部貫通孔１２ａに連通し、雨水は階段状部貫通孔１２ａから上側ハウジング１０外部へと排出される。【選択図】図３
2008067521.tif 000002
【特許請求の範囲】
【請求項１】
下側ハウジングと、
該下側ハウジングとともにハウジング内空間を画成し、該ハウジング内空間と大気とを連通する貫通孔が形成された少なくとも１つの流入側開口部を有する上側ハウジングとを備え、
該ハウジング内空間には、該流入側開口部から該ハウジング内空間へ流入した水を流すための流路を画成する排出路形成部材が、該上側ハウジングに取付けられることにより設けられていることを特徴とする充電器。
【請求項２】
該上側ハウジングは、該ハウジング内空間と大気とを連通する貫通孔が形成された少なくとも１つの排出側開口部を有し、該流路は該排出側開口部に連通していることを特徴とする請求項１記載の充電器。
【請求項３】
該流路は、該流入側開口部から該排出側開口部へ向けて下方へ傾斜していることを特徴とする請求項２記載の充電器。
【請求項４】
該下側ハウジングの下部には該ハウジング内空間と大気とを連通する下部貫通孔が形成され、
該流路は、該流入側開口部から該ハウジング内空間へ流入した水を該下部貫通孔へ導くように構成されていることを特徴とする請求項１記載の充電器。
【請求項５】
該下側ハウジングには下側ハウジング流路が形成され、該下部貫通孔は該下側ハウジング流路の一端をなし、
該流路は、該流入側開口部から該ハウジング内空間へ流入した水を該下側ハウジング流路の他端へ導くように構成されていることを特徴とする請求項４記載の充電器。
【請求項６】
該流路は、該流入側開口部から該下側ハウジング流路の他端へ向けて下方へ傾斜していることを特徴とする請求項５記載の充電器。
【請求項７】
該排出路形成部材はターミナルブロックを保持する保持部材からなることを特徴とする請求項１乃至請求項６のいずれか一記載の充電器。
【請求項８】
該流路は、該上側ハウジングに沿って形成されていることを特徴とする請求項１乃至請求項７のいずれか一記載の充電器。
【請求項９】
該流入側開口部は充電端子を該ハウジング外部へ露出させるための開口部であることを特徴とする請求項１乃至請求項８のいずれか一記載の充電器。
【請求項１０】
該上側ハウジングは、該充電端子に充電池の充電池充電端子を接触させるために該充電池を該上側ハウジングにおいて摺動させて該充電端子の方向へ該充電池充電端子を導くためのスライドレールを有し、
該流入側開口部の該貫通孔は、該上側ハウジングを金型で成形するときに該上側ハウジングに該スライドレールを形成するための鋳抜き穴であることを特徴とする請求項９記載の充電器。
【発明の詳細な説明】
【技術分野】
【０００１】
本発明は、充電池を充電するための充電器であって上側ハウジングと下側ハウジングとを有する充電池に関する。
【背景技術】
【０００２】
上側ハウジングと下側ハウジングとを有し、これら上側ハウジングと下側ハウジングとによってハウジング内空間が画成される充電器が従来より知られている。
【０００３】
特開平８−２８７９６０号公報（特許文献１）には、この構成の充電器が記載されている。充電器は下側ハウジングと上側ハウジングとを有しており、上側ハウジングと下側ハウジングとによってハウジング内空間が画成されている。ハウジング内空間には、充放電端子や回路基板等が収容されている。上側ハウジングには開口部が設けられており、開口部には充電池の充放電端子が挿入される。充放電端子が挿入される開口部に対向する下側ハウジングの部分には、水抜き孔が形成されている。室外において充電が行われる際には、雨水が充電池と上側ハウジングとの間の隙間からハウジング内空間へ入り込み、水抜き孔を通して外側ハウジングの下側であって外側ハウジングの外部へと雨水が排出されるように構成されている。
【特許文献１】特開平８−２８７９６０号公報
【発明の開示】
【発明が解決しようとする課題】
【０００４】
しかし、上述の従来の充電器では、水抜き孔は外側ハウジングの一部であって充電池の充放電端子を挿入する開口部の下方に形成されていたため、上側ハウジングの開口部と下側ハウジングの水抜き孔とを結ぶ方向におけるハウジング内空間の部分に雨水の流路が形成されており、当該ハウジング内空間の部分には、電子部品が搭載された基板等を配置することができなかった。
【０００５】
そこで、本発明は、上側ハウジングと下側ハウジングとを結ぶ方向におけるハウジング内空間の一部であって充放電端子を露出させる開口部に対向する部分に基板等を配置することができ、ハウジング内空間を有効活用できる充電器を提供することを目的とする。
【課題を解決するための手段】
【０００６】
上記目的を達成するために、本発明は、下側ハウジングと、該下側ハウジングとともにハウジング内空間を画成し、該ハウジング内空間と大気とを連通する貫通孔が形成された少なくとも１つの流入側開口部を有する上側ハウジングとを備え、該ハウジング内空間には、該流入側開口部から該ハウジング内空間へ流入した水を流すための流路を画成する排出路形成部材が、該上側ハウジングに取付けられることにより設けられている充電器を提供している。
【０００７】
ここで、該上側ハウジングは、該ハウジング内空間と大気とを連通する貫通孔が形成された少なくとも１つの排出側開口部を有し、該流路は該排出側開口部に連通していることが好ましい。
【０００８】
また、該流路は、該流入側開口部から該排出側開口部へ向けて下方へ傾斜していることが好ましい。
【０００９】
又は、該下側ハウジングの下部には該ハウジング内空間と大気とを連通する下部貫通孔が形成され、該流路は、該流入側開口部から該ハウジング内空間へ流入した水を該下部貫通孔へ導くように構成されていることが好ましい。
【００１０】
また、該下側ハウジングには下側ハウジング流路が形成され、該下部貫通孔は該下側ハウジング流路の一端をなし、該流路は、該流入側開口部から該ハウジング内空間へ流入した水を該下側ハウジング流路の他端へ導くように構成されていることが好ましい。
【００１１】
また、該流路は、該流入側開口部から該下側ハウジング流路の他端へ向けて下方へ傾斜していることが好ましい。
【００１２】
また、該排出路形成部材はターミナルブロックを保持する保持部材からなることが好ましい。
【００１３】
また、該流路は、該上側ハウジングに沿って形成されていることが好ましい。また、該流入側開口部は充電端子を該ハウジング外部へ露出させるための開口部であることが好ましい。
【００１４】
また、該上側ハウジングは、該充電端子に充電池の充電池充電端子を接触させるために該充電池を該上側ハウジングにおいて摺動させて該充電端子の方向へ該充電池充電端子を導くためのスライドレールを有し、該流入側開口部の該貫通孔は、該上側ハウジングを金型で成形するときに該上側ハウジングに該スライドレールを形成するための鋳抜き穴であることが好ましい。
【発明の効果】
【００１５】
本発明の請求項１記載の充電器によれば、上側ハウジングには流入側開口部が設けられ、ハウジング内空間には、流路を画成する排出路形成部材が上側ハウジングに取付けられることにより設けられているため、流入側開口部からハウジング内空間へ流入した水を排出路形成部材の流路において流すことができる。
【００１６】
このため、上側ハウジングと下側ハウジングとを結ぶ方向におけるハウジング内空間の一部であって流入側開口部に対向する部分に雨水の流路を形成せずに済み、当該部分に基板等を配置することができ、ハウジング内空間を有効活用できる。また、ハウジング内空間に配置されている回路基板に対して防水を施すためのシールド部を必要最小限とすることができる。
【００１７】
本発明の請求項２記載の充電器によれば、上側ハウジングは、ハウジング内空間と大気とを連通する貫通孔が形成された少なくとも１つの排出側開口部を有し、流路は排出側開口部に連通しているため、流入側開口部からハウジング内空間へ流入した水を、排出路形成部材の流路を通して排出側開口部からハウジング内空間外へ排出することができる。
【００１８】
本発明の請求項３記載の充電器によれば、流路は、流入側開口部から排出側開口部へ向けて下方へ傾斜しているため、流入側開口部からハウジング内空間に流入した雨水を流出側開口部へと自然に流すことができる。
【００１９】
本発明の請求項４記載の充電器によれば、下側ハウジングの下部にはハウジング内空間と大気とを連通する下部貫通孔が形成され、流路は、流入側開口部からハウジング内空間へ流入した水を下部貫通孔へ導くように構成されているため、流入側開口部からハウジング内空間へ流入した水を、排出路形成部材の流路を通して下部貫通孔からハウジング内空間外へ排出することができる。
【００２０】
本発明の請求項５記載の充電器によれば、  下側ハウジングには下側ハウジング流路が形成され、下部貫通孔は下側ハウジング流路の一端をなし、流路は、流入側開口部からハウジング内空間へ流入した水を下側ハウジング流路の他端へ導くように構成されているため、流入側開口部からハウジング内空間へ流入した水を、排出路形成部材の流路と下側ハウジング流路とを通して下部貫通孔からハウジング内空間外へ排出することができる。
【００２１】
本発明の請求項６記載の充電器によれば、流路は、流入側開口部から下側ハウジング流路の他端へ向けて下方へ傾斜しているため、流入側開口部からハウジング内空間に流入した雨水を下側ハウジング流路の他端へと自然に流すことができる。
【００２２】
本発明の請求項７記載の充電器によれば、排出路形成部材はターミナルブロックを保持する保持部材からなるため、ターミナルブロックをハウジング内空間において支持するための部材を別個に設けずに済み、充電器の構成を簡単にすることができる。
【００２３】
本発明の請求項８記載の充電器によれば、流路は、上側ハウジングに沿って形成されているため、ハウジング内空間の一部であって下側ハウジングによって画成される部分に流路を形成せずに済み、当該部分のスペースの有効活用を図ることができる。
【００２４】
本発明の請求項９記載の充電器によれば、流入側開口部は充電端子をハウジング外部へ露出させるための開口部であるため、当該部分を通して外側ハウジングの外部へ充電端子を露出させることができる。
【００２５】
本発明の請求項１０記載の充電器によれば、上側ハウジングは、充電端子に充電池の充電池充電端子を接触させるために充電池を上側ハウジングにおいて摺動させて充電端子の方向へ充電池充電端子を導くためのスライドレールを有し、流入側開口部の貫通孔は、上側ハウジングを金型で成形するときに上側ハウジングにスライドレールを形成するための鋳抜き穴であるため、上側ハウジングを成形するための金型の構成を簡単にすることができる。このため、上側ハウジングを成形するためのコストの低減を図ることができる。
【発明を実施するための最良の形態】
【００２６】
本発明の実施の形態による充電器について図１乃至図４に基づき説明する。図１に示されるように、充電器１は、上側ハウジング１０と下側ハウジング２０とを有しており、上側ハウジング１０と下側ハウジング２０とによって充電器１の外殻が構成される。上側ハウジング１０と下側ハウジング２０とが互いに係合し合うことにより、上側ハウジング１０と下側ハウジング２０とにより取囲まれるハウジング内空間１ａ（図３）が画成されるように構成されている。
【００２７】
下側ハウジング２０は有底且つ上面全面が開口部をなす略直方体形状をなしている。上側ハウジング１０は、下側ハウジング２０の開口部を覆うように構成されており、下側ハウジング２０の略長方形状をなす当該開口部の長手方向における図１（ａ）の略右半分には、充電池を充電するときに充電器１をセットする充電池セット部１１が設けられている。
【００２８】
充電池セット部１１は、下側ハウジング２０の略長方形状をなす開口部の長辺の一方から他方へと向かう方向、すなわち、図２の右上方向から左下方向へ向かって、下側ハウジング２０の方へ接近する方向である下方へ傾斜する傾斜面１１Ａを有している。傾斜面１１Ａは図２の右上方向から左下方向へ向かって所定の位置まで延出しており、その位置の延出端において、下側ハウジング２０の方向へ下がる階段状部１２に接続されている。階段状部１２には、図２等に示されるように、ハウジング内空間１ａ（図３）と上側ハウジング１０とを連通する階段状部貫通孔１２ａが、階段状部１２を構成する側壁に２つ形成されている。階段状部貫通孔１２ａは排出側開口部に相当する。
【００２９】
また傾斜面１１Ａには鋳抜き穴部１１Ｂが設けられている。図２に示されるように鋳抜き穴部１１Ｂはスライドレール１１Ｃを有しており、スライドレール１１Ｃは上側ハウジング１０と一体成形されてなり、傾斜面１１Ａの傾斜の上下を結ぶ方向に傾斜面１１Ａに平行に延出して設けられている。スライドレール１１Ｃは、後述の充放電用端子３６に図示せぬ充電池の充放電用端子３６を接触させて電気的に接続するために、図示せぬ充電池のレールをスライドレール１１Ｃに摺動させて充放電用端子３６の方向へ充電池の充放電端子を導くことができるように構成されている。
【００３０】
スライドレール１１Ｃに対向する傾斜面１１Ａの位置には、鋳抜き貫通孔１１ａがスライドレール１１Ｃに沿って傾斜面１１Ａの傾斜の上下を結ぶ方向に延出して形成されている。鋳抜き貫通孔１１ａは、上側ハウジング１０を図示せぬ金型によって成形するときに、スライドレール１１Ｃを形成するために金型に設けられた図示せぬ鋳抜きピンによって形成される貫通孔であり鋳抜き穴に相当する。また、鋳抜き穴部１１Ｂは流入側開口部に相当する。
【００３１】
上側ハウジング１０を図示せぬ金型で成形するときに上側ハウジング１０にスライドレール１１Ｃを形成するための鋳抜き貫通孔１１ａを形成するようにしたため、上側ハウジング１０を成形するための図示せぬ金型の構成を簡単にすることができる。このため、上側ハウジング１０を成形するためのコストの低減を図ることができる。
【００３２】
また、傾斜面１１Ａには端子露出用貫通孔１１ｂが形成されている。端子露出用貫通孔１１ｂは、上側ハウジング１０の長手方向、即ち、図２の左上と右下とを結ぶ方向へ延出しており、開口部が略長方形状をなしている。端子露出用貫通孔１１ｂには、図１に示されるように、後述するターミナルブロック３８を保持する保持部材３０の一部及びターミナルブロック３８の一部が、ハウジング内空間１ａから上側ハウジング１０の外側へ向けて貫通して突出している。
【００３３】
傾斜面１１Ａの傾斜の下方に相当する端子露出用貫通孔１１ｂの開口部の位置には、図２に示されるように、端子露出用貫通孔１１ｂから上側ハウジング１０の外部へ突出している後述の保持部材３０の一部及びターミナルブロック３８の一部を覆い保護する保護部１３が設けられている。保護部１３は、略長方形状をした端子露出用貫通孔１１ｂの一の長辺であって傾斜面１１Ａの傾斜の下方に位置する長辺から立設する第１側壁部１３Ａと、略長方形状をした端子露出用貫通孔１１ｂの一対の短辺の部分であって略長方形状をした端子露出用貫通孔１１ｂの一の長辺から他の長辺へ向かった所定の位置までの部分から立設する一対の第２側壁部１３Ｂ、１３Ｂと、これら第１側壁部１３Ａの延出端及び一対の第２側壁部１３Ｂ、１３Ｂの延出端に接続された天井壁１３Ｃとによって構成されており、端子露出用貫通孔１１ｂの一部であって傾斜面１１Ａの傾斜の下方に相当する部分を覆っている。端子露出用貫通孔１１ｂを画成する傾斜面１１Ａの部分は流入側開口部に相当する。
【００３４】
ハウジング内空間１ａには、保持部材３０と図示せぬ回路基板とが設けられている。保持部材３０は、図示せぬネジによって上側ハウジング１０の内周面に取り付けられており、図４に示されるように、略長方形状をした板状部３１と板状部３１から立設するターミナル保持部３２とを有している。保持部材３０は排出路形成部材に相当する。ターミナル保持部３２は、板状部３１の上面３１Ａよりも高台をなす台部３３と、台部３３の上面３１Ａから垂直に延出する垂直壁３４と、垂直壁３４の延出端から板状部３１の上面３１Ａに平行に延出する天井壁３５とを有しており、垂直壁３４において、充放電用端子３６や信号用端子３７を有するターミナルブロック３８を保持している。充放電用端子３６は充電端子に相当する。
【００３５】
充放電用端子３６や信号用端子３７は、それぞれ略板状をなしており、図４に示されるように板状部３１の上面３１Ａに垂直をなして板状部３１の上面３１Ａに平行の方向であって天井壁３５の延出方向及びその反対方向に延出している。天井壁３５の延出方向へ垂直壁３４から延出する充放電用端子３６や信号用端子３７の部分は、図示せぬ充電池の充放電用端子３６と接触して電気的に接続可能である。また、充放電用端子３６や信号用端子３７はそれぞれ図示せぬ回路基板に電気的に接続されている。
【００３６】
板状部３１の上面３１Ａの周縁部は、端子露出用貫通孔１１ｂ、鋳抜き貫通孔１１ａ、及び、上側ハウジング１０の内周面であって端子露出用貫通孔１１ｂ及び鋳抜き貫通孔１１ａを画成している部分に対向している。略長方形状をした板状部３１の一対の短辺には、当該一対の短辺にそれぞれ沿って板状部３１の上面３１Ａから垂直且つ垂直壁３４の延出方向に立設する縁壁３９が設けられている。また、傾斜面１１Ａの傾斜の下方に相当する台部３３の縁部３３Ａから縁壁３９へ向かって所定の位置に至るまで内壁４０が立設されており、当該所定の位置から内壁４０は縁壁３９に平行に延出し、縁壁３９と内壁４０とで溝３０ａを画成している。溝３０ａの末端は、図３に示されるように階段状部貫通孔１２ａに連通している。従ってハウジング内空間１ａの一部であって板状部３１の上面３１Ａと縁壁３９と台部３３の側壁と内壁４０とは、上側ハウジング１０の外部から端子露出用貫通孔１１ｂ又は鋳抜き貫通孔１１ａを通してハウジング内空間１ａへ流入した雨水を階段状部貫通孔１２ａへと流す流路を構成する。
【００３７】
傾斜面１１Ａは、前述のように図２の右上方向から左下方向へ向かって、下側ハウジング２０の方へ接近する方向である下方へ傾斜しているため、流路も同方向へ傾斜している。このため、流入側開口部からハウジング内空間１ａに流入した雨水を流出側開口部へと自然に流すことができる。また、流路は上側ハウジング１０に対向する板状部３１上に形成されているため、流路は上側ハウジング１０に沿って形成されていることになる。そして、流路は上側ハウジング１０により画成されるハウジング内空間１ａの部分に位置している。このため、ハウジング内空間１ａの一部であって下側ハウジング２０によって画成される部分に流路を形成せずに済み、当該部分のスペースの有効活用を図ることができる。
【００３８】
板状部３１の縁部であって溝３０ａ内の部分以外の部分にはウレタンからなる図示せぬシールド部が設けられている。より具体的には、シールド部は、流路を画成する縁壁３９、内壁４０、台部３３の縁部３３Ａのそれぞれの図４における上端全体と、図４における板状部３１の右下に相当する縁部にのみ設けられおり、流路を流れる雨水が、ハウジング内空間１ａの基板が配置されている位置へと流入しないように構成されている。
【００３９】
図示せぬ回路基板は、前述のようにハウジング内空間１ａに配置されているのであるが、その一部は、上側ハウジング１０と下側ハウジング２０とを結ぶ方向におけるハウジング内空間１ａの一部であり端子露出用貫通孔１１ｂ及び鋳抜き貫通孔１１ａに対向する部分であって保持部材３０よりも下側ハウジング２０寄りの部分に配置されている。図示せぬ回路基板はターミナルブロック３８の充放用電端子３６や信号用端子３７に電気的に接続されており、充放電端子や信号用端子３７に充電池側の充放電端子や信号用端子３７が電気的に接続されることにより、充電を行うことができるように構成されている。
【００４０】
充電器１を用いて図示せぬ充電池を充電する際には、まず、図示せぬ充電池の外周面に設けられているレールの一端を充電器１のスライドレール１１Ｃの上端に係合させ、スライドレール１１Ｃに沿って充電池を傾斜面１１Ａの下方へ向かって摺動させてゆき、図示せぬ充電池の充放電用端子及び信号用端子を充電器１の充放電用端子３６及び信号用端子３７に接触させて電気的に接続した状態とする。このことにより図示せぬ充電池に対する充電が開始される。図示せぬ充電池の充放電用端子は充電池充電端子に相当する。
【００４１】
雨天時の屋外において充電が行われているときには、雨水が端子露出用貫通孔１１ｂ及び鋳抜き貫通孔１１ａからハウジング内空間１ａへ流入する。流入した雨水は、板状部３１の上面３１Ａに画成されている流路において傾斜面１１Ａの下方へ向かって流れて行き、図３の矢印で示されるように、流路の一部であって板状部３１の上面３１Ａと縁壁３９と内壁４０とにより画成されている溝３０ａ部分へと流れ、階段状部貫通孔１２ａから上側ハウジング１０の外部へ流出する。
【００４２】
上側ハウジング１０には流入側開口部と排出側開口部とが設けられ、ハウジング内空間１ａには、流入側開口部からハウジング内空間１ａへ流入した水を排出側開口部へ導く流路を画成する排出路形成部材が設けられているため、上側ハウジング１０の流入側開口部からハウジング内空間１ａへ流入した雨水を、排出路形成部材の流路を通して、上側ハウジング１０の排出側開口部から排出することができる。
【００４３】
このため、上側ハウジング１０と下側ハウジング２０とを結ぶ方向におけるハウジング内空間１ａの一部であって流入側開口部に対向する部分に雨水の流路を形成せずに済み、当該部分に回路基板等を配置することができ、ハウジング内空間１ａを有効活用できる。また、ハウジング内空間１ａに配置されている図示せぬ回路基板に対して防水を施すためのシールド部を必要最小限とすることができる。
【００４４】
また、排出路形成部材はターミナルブロック３８を保持する保持部材３０からなるため、ターミナルブロック３８をハウジング内空間１ａにおいて支持するための部材を別個に設けずに済み、充電器１の構成を簡単にすることができる。
【００４５】
本発明による充電器は、上述した実施の形態に限定されず、特許請求の範囲に記載した範囲で種々の変形や改良が可能である。例えば、本実施の形態では、排出側開口部は上側ハウジング１０に形成されていたが、下側ハウジングに形成されていてもよい。
【００４６】
より具体的には、例えば、図５に示されるように、略直方体形状をした下側ハウジング１２０の側壁１２０Ａの内面に沿って下側ハウジング流路１２０ａが形成されている。下側ハウジング流路１２０ａは図５の上下方向に延出しており、その一端をなす下端は下側ハウジング２０の下端部において開口し、大気と連通している。下側ハウジング流路の他端をなす上端は、ハウジング内空間１０１ａにおいて鉛直上方へ開口している。
【００４７】
保持部材１３０の流路の下端を画成する溝１３０ａは、図５に示されように、上側ハウジング１１０の傾斜面１１１Ａに沿って下側ハウジング流路１２０ａの上端に至るまで延出しており、溝１３０ａを流れてきた雨水が下側ハウジング流路１２０ａへと流入するように構成されている。従って、図示せぬ端子露出用貫通孔及び鋳抜き貫通孔から流入した雨水は、図５の矢印で示されるように、溝１３０ａを流れた後に下側ハウジング流路１２０ａを図５の上方から下方へと流れ、下側ハウジング流路１２０ａの下端から外側ハウジング１２０外部へと排出される。なお、図５に示される変形例において、上述の構成以外の構成については、本実施の構成と同様である。
【００４８】
また、上述の変形例において、下側ハウジングには図５に示されるような下側ハウジング流路１２０ａが形成されていなくてもよい。この場合であっても下側ハウジング下部には、該ハウジング内空間と大気とを連通する下部貫通孔が形成されている必要がある。具体的には、例えば、流路の下端は図５に示される流路１２０ａの下端と同様の位置に配置されており、下部貫通孔は流路の下端の略鉛直下方に形成される。流路下端から流れ出る雨水は、下側ハウジングの側面の内周面を伝わって流れ落ち、下部貫通孔から下側ハウジング外部へ排出される。図５に示される下側ハウジング流路１２０ａの下端は下部貫通孔に相当する。
【００４９】
また、保持部材３０の形状や上側ハウジング１０や下側ハウジング２０等の形状は本実施の形態のものに限定されない。同様に、充放電用端子３６や信号用端子３７等の形状や数についても本実施の形態のものに限定されない。
【図面の簡単な説明】
【００５０】
【図１（ａ）】本発明の実施の形態による充電器を示す前方斜視図。
【図１（ｂ）】本発明の実施の形態による充電器を示す後方斜視図。
【図２】本発明の実施の形態による充電器の上側ハウジングと下側ハウジングと保持部材とを示す分解斜視図。
【図３】本発明の実施の形態による充電器の上側ハウジングと下側ハウジングと保持部材とを示す断面図。
【図４】本発明の実施の形態による充電器の保持部材を示す斜視図。
【図５】本発明の実施の形態による充電器の上側ハウジングと下側ハウジングと保持部材の変形例を示す断面図。
【符号の説明】
【００５１】
１・・・充電器  １ａ、１０１ａ・・・ハウジング内空間  １０、１１０・・・上側ハウジング  １１Ｂ・・・鋳抜き穴部  １１Ｃ・・・スライドレール  １１ａ・・・鋳抜き貫通孔  １１ｂ・・・端子露出用貫通孔  １２ａ・・・階段状部貫通孔  ２０、１２０・・・下側ハウジング  ３０、１３０・・・保持部材  ３０ａ、１３０ａ・・・溝  ３６・・・充放電用端子  ３７・・・信号用端子  ３８・・・ターミナルブロック  １２０ａ・・・下側ハウジング流路
【図１（ａ）】
2008067521.tif 000003
【図１（ｂ）】
2008067521.tif 000004
【図２】
2008067521.tif 000005
【図３】
2008067521.tif 000006
【図４】
2008067521.tif 000007
【図５】
2008067521.tif 000008